【手続補正書】
【提出日】平成15年10月23日(2003.10.23)
【手続補正１】
【補正対象書類名】明細書
【補正対象項目名】発明の名称
【補正方法】変更
【補正の内容】
【発明の名称】有機ＥＬ素子用組成物、有機ＥＬ素子の製造方法、及びインクジェット用のヘッド


【手続補正２】
【補正対象書類名】明細書
【補正対象項目名】特許請求の範囲
【補正方法】変更
【補正の内容】
【特許請求の範囲】
【請求項１】
インクジェット方式によるパターン形成に用いられる有機ＥＬ素子用組成物であって、
発光層を形成する高分子有機化合物の前駆体と、
前記発光層の発光特性を変化させるための少なくとも１種の色素と、を含み、
前記インクジェット用のヘッドに設けられた前記有機ＥＬ組成物を吐出するノズルのノズル面を構成する材料に対する前記有機ＥＬ素子用組成物の接触角が３０°〜１７０°であることを特徴とする有機ＥＬ素子用組成物。
【請求項２】
インクジェット方式によるパターン形成に用いられる有機ＥＬ素子用組成物であって、
発光層を形成する高分子有機化合物の前駆体と、
前記発光層の発光特性を変化させるための少なくとも１種の色素と、を含み、
前記有機ＥＬ素子用組成物の粘度が１cp〜２０cpであることを特徴とする有機ＥＬ素子用組成物。
【請求項３】
インクジェット方式によるパターン形成に用いられる有機ＥＬ素子用組成物であって、
発光層を形成する高分子有機化合物の前駆体と、
前記発光層の発光特性を変化させるための少なくとも１種の色素と、を含み、
前記有機ＥＬ素子用組成物の表面張力が２０dyne〜７０dyneであることを特徴とする有機ＥＬ素子用組成物。
【請求項４】
インクジェット方式によるパターン形成に用いられる有機ＥＬ素子用組成物であって、
前記発光層の発光特性を変化させるための少なくとも１種の色素を含み、
前記インクジェット用のヘッドに設けられた前記有機ＥＬ素子用組成物を吐出するノズルのノズル面を構成する材料に対する前記有機素子用組成物の接触角が３０°〜１７０°であり、かつ該組成物の粘度が１cp〜２０cpであることを特徴とする有機ＥＬ素子用組成物。
【請求項５】
インクジェット方式によるパターン形成に用いられる有機ＥＬ素子用組成物であって、
発光層を形成するための高分子有機化合物の前駆体と、
前記発光層の発光特性を変化させるための少なくとも１種の色素と、を含み、
前記インクジェット用のヘッドに設けられた前記有機ＥＬ素子用組成物を吐出するノズルのノズル面を構成する材料に対する前記有機ＥＬ素子用組成物の接触角が３０°〜１７０°であり、かつ前記有機ＥＬ組成物の表面張力が２０dyne〜７０dyneであることを特徴とする有機ＥＬ素子用組成物。
【請求項６】
インクジェット方式によるパターン形成に用いられる有機ＥＬ素子用組成物であって、
発光層を形成する高分子有機化合物の前駆体と、
前記発光層の発光特性を変化させるための少なくとも１種の色素と、を含み、
前記有機ＥＬ素子用組成物の粘度が１cp〜２０cpであり、かつ前記有機ＥＬ素子用組成物の表面張力が２０dyne〜７０dyneであることを特徴とする有機ＥＬ素子用組成物。
【請求項７】
インクジェット方式によるパターン形成に用いられる有機ＥＬ素子用組成物であって、
発光層を形成する高分子有機化合物の前駆体と、
前記発光層の発光特性を変化させるための少なくとも１種の色素と、を含み、
前記インクジェット用のヘッドに設けられた前記有機ＥＬ素子用組成物を吐出するノズルのノズル面を構成する材料に対する前記有機ＥＬ素子用組成物の接触角が３０°〜１７０°であり、かつ該有機ＥＬ素子用組成物の粘度が１cp〜２０cpであって、前記有機ＥＬ素子用組成物の表面張力が２０dyne〜７０dyneであることを特徴とする有機ＥＬ素子用組成物。
【請求項８】
請求項１乃至７のいずれかに記載の有機ＥＬ素子用組成物において、
前記前駆体はポリパラフェニレンビニレンまたはその誘導体であることを特徴とする有機ＥＬ素子用組成物。
【請求項９】
請求項１乃至８のいずれかに記載の有機ＥＬ素子用組成物において、
前記色素はローダミンまたはローダミン誘導体であることを特徴とする有機ＥＬ素子用組成物。
【請求項１０】
前記色素はジスチリルビフェニルおよびその誘導体である請求項１乃至８のいずれかに記載の有機ＥＬ素子用組成物。
【請求項１１】
前記色素はクマリンまたはクマリン誘導体である請求項１乃至８のいずれか有機ＥＬ素子用組成物。
【請求項１３】
前記色素はテトラフェニルブタジエン（ＴＰＢ）またはテトラフェニルブタジエン誘導体である請求項１乃至８のいずれかに記載の有機ＥＬ素子用組成物。
【請求項１４】
前記色素はキナクリドンまたはキナクリドン誘導体である請求項１乃至８のいずれかに記載の有機ＥＬ素子用組成物。
【請求項１５】
前記前駆体および前記色素が極性溶媒に溶解または分散された状態で存在する請求項１乃至１４のいずれかに記載の有機ＥＬ素子用組成物。
【請求項１６】
前記色素の添加量は、前記高分子有機化合物の前駆体固型分に対し０．５〜１０wt％である請求項１ないし１５のいずれかに記載の有機ＥＬ素子用組成物。
【請求項１７】
前記組成物中には湿潤剤が含まれている請求項１ないし１６のいずれかに記載の有機ＥＬ素子用組成物。
【請求項１８】
前記請求項１乃至１７のいずれかの組成の有機ＥＬ素子用組成物を用いて、
インクジェット方式により前記有機ＥＬ素子用組成物をヘッドから噴出させてパターンを形成する工程と、
加熱処理により前記発光層を形成する工程とを有することを特徴とする有機ＥＬ素子の製造方法。
【請求項１９】
有機ＥＬ組成物をノズルから吐出するインクジェット用のヘッドであって、
前記有機ＥＬ組成物の前記ノズルのノズル面に対する接触角が３０°〜１７０°となるように前記ノズル面を構成してなることを特徴とするインクジェット用のヘッド。
【手続補正３】
【補正対象書類名】明細書
【補正対象項目名】０００１
【補正方法】変更
【補正の内容】
【０００１】
【発明が属する技術分野】
本発明は、ＥＬ素子用組成物、特に有機ＥＬ素子用組成物に関するものであり、また、インクジェット用のヘッドに関するものである。


【手続補正４】
【補正対象書類名】明細書
【補正対象項目名】０００８
【補正方法】変更
【補正の内容】
【０００８】
【課題を解決するための手段】
本発明の第１の有機ＥＬ素子用組成物は、インクジェット方式によるパターン形成に用いられる有機ＥＬ素子用組成物であって、発光層を形成する高分子有機化合物の前駆体と、前記発光層の発光特性を変化させるための少なくとも１種の色素と、を含み、前記インクジェット用のヘッドに設けられた前記有機ＥＬ組成物を吐出するノズルのノズル面を構成する材料に対する前記有機ＥＬ素子用組成物の接触角が３０°〜１７０°であることを特徴とする。


【手続補正５】
【補正対象書類名】明細書
【補正対象項目名】０００９
【補正方法】変更
【補正の内容】
【０００９】
本発明の第２の有機ＥＬ素子用組成物は、インクジェット方式によるパターン形成に用いられる有機ＥＬ素子用組成物であって、発光層を形成する高分子有機化合物の前駆体と、前記発光層の発光特性を変化させるための少なくとも１種の色素と、を含み、前記有機ＥＬ素子用組成物の粘度が１cp〜２０cpであることを特徴とする。


【手続補正６】
【補正対象書類名】明細書
【補正対象項目名】００１０
【補正方法】変更
【補正の内容】
【００１０】
本発明の第３の有機ＥＬ素子用組成物はインクジェット方式によるパターン形成に用いられる有機ＥＬ素子用組成物であって、発光層を形成する高分子有機化合物の前駆体と、前記発光層の発光特性を変化させるための少なくとも１種の色素と、を含み、前記有機ＥＬ素子用組成物の表面張力が２０dyne〜７０dyneであることを特徴とする。


【手続補正７】
【補正対象書類名】明細書
【補正対象項目名】００１１
【補正方法】変更
【補正の内容】
【００１１】
本発明の第４の有機ＥＬ素子用組成物は、インクジェット方式によるパターン形成に用いられる有機ＥＬ素子用組成物であって、前記発光層の発光特性を変化させるための少なくとも１種の色素を含み、前記インクジェット用のヘッドに設けられた前記有機ＥＬ素子用組成物を吐出するノズルのノズル面を構成する材料に対する前記有機素子用組成物の接触角が３０°〜１７０°であり、かつ該組成物の粘度が１cp〜２０cpであることを特徴とする。


【手続補正８】
【補正対象書類名】明細書
【補正対象項目名】００１２
【補正方法】変更
【補正の内容】
【００１２】
本発明の第５の有機ＥＬ素子用組成物は、インクジェット方式によるパターン形成に用いられる有機ＥＬ素子用組成物であって、発光層を形成するための高分子有機化合物の前駆体と、前記発光層の発光特性を変化させるための少なくとも１種の色素と、を含み、前記インクジェット用のヘッドに設けられた前記有機ＥＬ素子用組成物を吐出するノズルのノズル面を構成する材料に対する前記有機ＥＬ素子用組成物の接触角が３０°〜１７０°であり、かつ前記有機ＥＬ組成物の表面張力が２０dyne〜７０dyneであることを特徴とする。


【手続補正９】
【補正対象書類名】明細書
【補正対象項目名】００１３
【補正方法】変更
【補正の内容】
【００１３】
本発明の第６の有機ＥＬ素子用組成物はインクジェット方式によるパターン形成に用いられる有機ＥＬ素子用組成物であって、発光層を形成する高分子有機化合物の前駆体と、前記発光層の発光特性を変化させるための少なくとも１種の色素と、を含み、前記有機ＥＬ素子用組成物の粘度が１cp〜２０cpであり、かつ前記有機ＥＬ素子用組成物の表面張力が２０dyne〜７０dyneであることを特徴とする。


【手続補正１０】
【補正対象書類名】明細書
【補正対象項目名】００１４
【補正方法】変更
【補正の内容】
【００１４】
本発明の第７のインクジェット方式によるパターン形成に用いられる有機ＥＬ素子用組成物であって、発光層を形成する高分子有機化合物の前駆体と、前記発光層の発光特性を変化させるための少なくとも１種の色素と、を含み、前記インクジェット用のヘッドに設けられた前記有機ＥＬ素子用組成物を吐出するノズルのノズル面を構成する材料に対する前記有機ＥＬ素子用組成物の接触角が３０°〜１７０°であり、かつ該有機ＥＬ素子用組成物の粘度が１cp〜２０cpであって、前記有機ＥＬ素子用組成物の表面張力が２０dyne〜７０dyneであることを特徴とする。


【手続補正１１】
【補正対象書類名】明細書
【補正対象項目名】００１５
【補正方法】変更
【補正の内容】
【００１５】
上記の有機ＥＬ素子用組成物において、前記前駆体はポリパラフェニレンビニレンまたはその誘導体であってもよい。


【手続補正１２】
【補正対象書類名】明細書
【補正対象項目名】００１６
【補正方法】変更
【補正の内容】
【００１６】
上記の有機ＥＬ素子用組成物において、前記色素はローダミンまたはローダミン誘導体であってもよい。


【手続補正１３】
【補正対象書類名】明細書
【補正対象項目名】００１７
【補正方法】変更
【補正の内容】
【００１７】
上記の有機ＥＬ素子用組成物において、前記色素はジスチリルビフェニルおよびその誘導体であってもよい。


【手続補正１４】
【補正対象書類名】明細書
【補正対象項目名】００１８
【補正方法】変更
【補正の内容】
【００１８】
上記の有機ＥＬ素子用組成物において、前記色素はクマリンまたはクマリン誘導体であってもよい。


【手続補正１５】
【補正対象書類名】明細書
【補正対象項目名】００１９
【補正方法】変更
【補正の内容】
【００１９】
上記の有機ＥＬ素子用組成物において、前記色素はテトラフェニルブタジエン（ＴＰＢ）またはテトラフェニルブタジエン誘導体であってもよい。


【手続補正１６】
【補正対象書類名】明細書
【補正対象項目名】００２０
【補正方法】変更
【補正の内容】
【００２０】
上記の有機ＥＬ素子用組成物において、前記色素はキナクリドンまたはキナクリドン誘導体であってもよい。


【手続補正１７】
【補正対象書類名】明細書
【補正対象項目名】００２１
【補正方法】変更
【補正の内容】
【００２１】
上記の有機ＥＬ素子用組成物において、前記前駆体および前記色素が極性溶媒に溶解または分散された状態で存在することが好ましい。


【手続補正１８】
【補正対象書類名】明細書
【補正対象項目名】００２２
【補正方法】変更
【補正の内容】
【００２２】
上記の有機ＥＬ素子用組成物において、前記色素の添加量は、前記高分子有機化合物の前駆体固型分に対し０．５〜１０wt％であることが好ましい。


【手続補正１９】
【補正対象書類名】明細書
【補正対象項目名】００２３
【補正方法】変更
【補正の内容】
【００２３】
上記の有機ＥＬ素子用組成物において、前記有機ＥＬ素子用組成物中には湿潤剤が含まれていることが好ましい。


【手続補正２０】
【補正対象書類名】明細書
【補正対象項目名】００２４
【補正方法】変更
【補正の内容】
【００２４】
本発明の有機ＥＬ素子の製造方法は、上記の有機ＥＬ素子用組成物を用いて、インクジェット方式により前記有機ＥＬ素子用組成物をヘッドから噴出させてパターンを形成する工程と、加熱処理により前記発光層を形成する工程とを有することを特徴とする。


【手続補正２１】
【補正対象書類名】明細書
【補正対象項目名】００２５
【補正方法】変更
【補正の内容】
【００２５】
また、本発明のインクジェット用のヘッドは、仕切部材により形成された空間内の有機ＥＬ組成物をノズルから吐出するインクジェット用のヘッドであって、前記有機ＥＬ組成物の前記ノズルのノズル面に対する接触角が３０°〜１７０°となるように前記ノズル面を構成してなることを特徴とする。


【手続補正２２】
【補正対象書類名】明細書
【補正対象項目名】００２６
【補正方法】削除
【補正の内容】